(57)【要約】【課題】広幅の箇所、狭幅の箇所、狭く入り込んだ箇所等にコーキング材が充填されている場合には、従来技術によると、その幅や箇所にあった複数のコーキング用ヘラを用意し、状況に応じて使い分けることが必要であった。【解決手段】上記課題を解決するために、本発明では、薄厚な金属板からなるヘラ本体の一端に相互に直交し長方形状を構成する4つのヘラ先を配置し、ヘラ本体の長手方向重心線と該直交する4つのヘラ先との交差角度がそれぞれ略40〜50度の傾斜となるようにし、該長方形状をなす4つのヘラ先のうち2つのヘラ先とヘラ胴部をなだらかに接続するために、ヘラ本体の両側縁の一の側縁が直線状から円弧状に一のヘラ先に繋がり、反対側縁が弓状の湾曲から逆円弧状に別の一のヘラ先に繋がるようにし、ヘラ本体の他端には握持部材を有するようにコーキング用ヘラを構成する。【選択図】図１
2009121168.tif 000002
【特許請求の範囲】
【請求項１】
薄厚な金属板からなるヘラ本体の一端に相互に直交し長方形状を構成する４つのヘラ先を有し、
長方形状をなす４つのヘラ先のうち２つのヘラ先とヘラ胴部が接続ためヘラ本体の両側縁の一の側縁が直線状または湾曲状から円弧状に一のヘラ先に繋がり、
反対側縁が湾曲状または直線状から逆円弧状に別の一のヘラ先に繋がり、
ヘラ本体の他端には握持部材を有することを特徴とするコーキング用ヘラ。
【請求項２】
請求項1に記載の握持部のヘラ本体装着部と逆端側に着脱自在のゴムヘラを有することを特徴とするコーキング用ヘラ。
【発明の詳細な説明】
【技術分野】
【０００１】
本発明は建物内の台所、風呂場、洗面所等に設置するシステムキッチン、システムバス、洗面化粧台等と建物を構成する建築部材とが接する箇所や、建物を構成する複数の建築部材、例えば、複数のキッチンパネルの継ぎ目等に充填されるコーキング材を押圧するためのコーキング用ヘラに関するものである。
【背景技術】
【０００２】
コーキング処理は、システムキッチンや洗面台等が建築部材と接する際に生じる隙間や複数建築部材の継目にコーキング材を充填し、水密性、防水性を高めるため、あるいは食器棚や家具類が建築部材と接する面の隙間にコーキング材充填し美観を高めるために行われる。
【０００３】
このためコーキング処理では、コーキング材が詰められているカートリッジを専用コーキングガンに装填し、コーキング材を押し出し、上記の隙間や継ぎ目に充填する。
【０００４】
充填後のコーキング材に内在する気泡や空隙を取り除くため、また、コーキング材の表面の仕上げを綺麗にするために、従来、図３示すようなコーキングヘラ100、200または300を用いて押圧処理が施されている。
【０００５】
これらコーキングヘラは、ステンレスを素材とするコーキングヘラ本体101、201または301ともう一端に取り付けられた木製または合成樹脂製等の握持部102，202または302から構成されものである。その使用方法としては、作業者がコーキングヘラ100、200または300の握持部102、202または302を手で持ち、ヘラ先103、203または303を充填されたコーキング材の表面に押し当て、押圧された状態で充填されたコーキング材を所定の方向に移動させるようにすることで行われる。
【０００６】
また、サッシ敷居等の建物構成物の奥まった箇所にコーキング材が充填されている場合には、不自然な持ち方となることを防止するために、図４に示す様なヘラ本体2の一端が長手方向の両側縁を切り欠いて鉤形状に彎曲させ、そのヘラ先2bと彎曲の一方の側縁の延長線5aとが交叉する角度αが略４５°以下となる狭幅ヘラ2cを形成するコーキング用ヘラ1が提案されている（特許文献1）。
【０００７】
この提案の鉤形状に彎曲したコーキング用ヘラ1を用いると、サッシ敷居の奥まったところに充填されたコーキング材に対しても、無理のない持ち方によってコーキング材を押圧処理することができる。この様子を図5に示す。
【特許文献１】特開平7-305492号公報
【発明の開示】
【発明が解決しようとする課題】
【０００８】
広幅の箇所、狭幅の箇所、狭く入り込んだ箇所等にコーキング材が充填されている場合には、従来技術によると、その幅や箇所にあった複数のコーキング用ヘラを用意し、状況に応じて使い分けることが必要であった。
幅や箇所に合わないコーキング用ヘラを使用すると必要以上にコーキング材を削り取ってしまうことや無理な角度での持ち方では確実な押圧処理ができないため、気泡や空隙を完全に取り除くことが出来ず表面の仕上がりが平滑でなくなるとういう問題が発生する。
また、無理な角度での持ち方を回避するために提案された鉤形状湾曲コーキング用ヘラ1を用いたとしても、図６に示すような狭幅の入隅部に充填されたコーキング材を押圧処理することは非常にやりにくい作業となることが避けられないという問題が残る。
【０００９】
本発明は上記事情に鑑みて成されたものであり、広幅な箇所、狭幅な箇所、狭く入り組んだ箇所などをコーキング処理するのに、複数のコーキング用ヘラを用意することなく、1本のコーキング用ヘラで押圧処理を行い、確実に気泡や空隙を取り除き、かつ、表面仕上げを綺麗に完成させることができるコーキング用ヘラに関するものである。
【課題を解決するための手段】
【００１０】
上記課題を解決するために、本発明では、薄厚な金属板からなるヘラ本体の一端に相互に直交し長方形状を構成する4つのヘラ先を配置し、ヘラ本体の長手方向重心線と該直交する4つのヘラ先との交差角度がそれぞれ略40〜50度の傾斜となるようにし、該長方形状をなす4つのヘラ先のうち2つのヘラ先とヘラ胴部をなだらかに接続するために、ヘラ本体の両側縁の一の側縁が直線状から円弧状に一のヘラ先に繋がり、反対側縁が弓状の湾曲から逆円弧状に別の一のヘラ先に繋がるようにし、ヘラ本体の他端には握持部材を有するようにコーキング用ヘラを構成する。
【発明の効果】
【００１１】
従来方式では、広幅な箇所、狭幅な箇所に対し、それぞれ別のコーキング用ヘラを準備する必要があったが、本発明のコーキング用ヘラでは、ヘラ本体の先端部に長方形状を構成する複数のヘラ先があり、長方形の長辺と短辺に対応するヘラ先が、それぞれ異なる幅を有するので、一本のヘラで異なる幅の対象物に対応することができる効果がある。
【００１２】
また、入り組んだ箇所のコーキング材の押圧処理を行うとき、提案されている鉤形状湾曲コーキング用ヘラ1を用いることで、持ち方に無理がなくなり、コーキング処理が容易に行えるケースがある（図５）。しかしながら、図６に示すような狭幅の入隅部に充填されたコーキング材を押圧処理することは、依然として非常にやりにくい作業となることが避けられない。
【００１３】
この点、本発明のコーキング用ヘラは、長方形状の4つのヘラ先を有し、そのうち対向する二つの長辺、あるいは二つの短辺を形成するそれぞれ二つのヘラ先の向きが、丁度180°逆向きであるので、作業者のヘラの持ち方に自由度が増し、常に無理のない持ち方を選択することができる。
【００１４】
すなわち、鉤形状湾曲コーキング用ヘラ1とちがって、本発明のコーキング用ヘラを用いるとき、図５のケースにおいても、図６のケースにおいても、いずれの場合にも無理のない持ち方ができるという効果がある。
【００１５】
また、図７に示すように、出隅の箇所のコーキング処理を行うとき、従来のコーキング用ヘラを用いるときには、多くのヘラのヘラ先103、203または2b、2dも直線状をしているので、出隅部の仕上げ面は平面状にならざるを得なかった。本発明のコーキング用ヘラを用いるとき、図８に示すように、円弧状部1050または1060をコーキング材の表面に押し当て所定の方向に移動させることにより丸みをおびた出隅コーキング仕上げが容易に行える効果がある。
【発明を実施するための最良の形態】
【００１６】
発明を実施するための最良の形態を実施例１及び２に示す。
【実施例１】
【００１７】
本発明の実施例1を図１に示す。
本発明のコーキング用ヘラ1000は、肉薄厚の金属板で作成されたヘラ本体1100と木製また合成樹脂製の握持部1200から構成されている。ヘラ本体1100の先端部には、互いに直交する4つのヘラ先1011、1012、1013および1014があり、長方形状のヘラ先端部1500を構成している。
【００１８】
この長方形状は、コーキング用ヘラ全体の左右のバランスを取る重心線1700に対して、どのヘラ先も40〜50°の角度を成す様に構成するのが望ましいが、それに限定されるわけではない。
【００１９】
ヘラ本体の両側縁の内、一の側縁はヘラ先に向かって直線状1040をなし、この直線部が長方形状のヘラ先の一つ1011となだらかに接続するために円弧状1050を描いてヘラ先1011に繋がるよう構成されている。
【００２０】
又、これと反対側の側縁は弓状に彎曲しており、この湾曲部1030が長方形状のヘラ先の他の一つ1014となだらかに接続するために逆円弧状1060を描いてヘラ先1014に繋がるよう構成されている。
【００２１】
この二つの円弧状部1050と1060とで長方形ヘラ先端部1500とヘラ胴部1100との間
に首部を形成している。
【００２２】
以下本発明のコーキング用ヘラを用いて、作業者が如何に効率よくコーキング作業をすることができるかを説明する。
【００２３】
比較的周囲の作業空間に余裕がある場合には、作業者は、本発明のコーキング用ヘラ1000の握持部1200を手に持ち、コーキング処理を要する対象の幅に合わせて、長方形をなすヘラ先1012または1013のいずれか、より適する幅のヘラ先を選択して、コーキング材の表面に押し当て、所定の角度を保ちながら押圧作業を行い、所定の方向に移動させることで作業する。
【００２４】
幅の合わないまま、対象幅より狭幅のコーキング用ヘラを押圧し、これを移動させると必要以上にコーキング材を削り取ってしまうことになり、また、対象幅より広幅のコーキング用ヘラを押圧し、これを移動させせるときには対象物の広い範囲の凹凸の不陸に影響され、コーキング面へ均一な押圧力が掛からず、確実に気泡や空隙を除去できないという不都合が生じる。
【００２５】
これに対して、本発明のコーキング用ヘラには、長方形状の長辺と短辺に対応する2種類のヘラ先幅を用意することができるので、作業効率は格段に向上する。
【００２６】
本発明のコーキング用ヘラ先は、2種類の幅が準備出来るが、具体的には長辺1012が30mm、短辺1013が20mm前後が最も適用対象が多く、便利である。ただし、30mm、20mmに限定されるものではないし、1012が短辺、1013が長辺であってもよい。
【００２７】
次に入り組んだ箇所にコーキング材が充填されている場合であるが、周囲の作業空間の広さにより二つに場合分けすることができる。
【００２８】
第一のケースは、充填個所が入り組んではいるが、作業空間に余裕のある場合（図５）である。この場合には、作業者Aは握持部1200もって、ヘラ本体と長方形状ヘラ先の傾斜角度をうまく利用して、ヘラ先1012または1013（図５では1013）を入り組み箇所5aに丁度押し込むようにして下から支持しながら強くコーキング材6を押圧し、所定の方向に移動して、余分な気泡や空隙の除去を容易に行うことができる。この点は、先に提案されている鉤形状湾曲ヘラ1（特許文献1）の場合と同様の作業形態となる。
【００２９】
第二のケースは、コーキング材の充填個所が入り組んでいる上に、作業空間に余裕のない入隅部7aの場合（図６）である。この場合には、鉤形状湾曲ヘラ1を用いても作業空間が十分でないため、コーキング処理がうまくできない。
【００３０】
しかしながら、図６に示すようなケースであっても、図７に示すように本発明のコーキング用ヘラ1000を用いるとき、作業者Aは握持部1200を手に持ち、ヘラ本体長手方向の片側縁直線部分1040、または弓状湾曲部分1030（図７では1040）が、長方形の短辺1011または長辺1014とのなだらかな接続のために生じる円弧状部分1050または1060（図７では1050）を利用して、上手に室内ドア枠7等の出っ張りをよけ、長方形をなすヘラ先部1011または1014（図７では1011）を入隅7aの対象物に密着させて押圧作業を行い所定の方向に移動させることで容易にコーキング処理ができる。
【００３１】
また、図９に示すような厚板材9aの出会う出隅9bの箇所に充填されたコーキング材6を対象とするときには、従来のコーキング用ヘラ100，200および2（図９では100）のヘラ先103、203及び2b、2d（図９では103）が直線状をなしているので、コーキング後の仕上げ面は、平面状となり、コーキング材の水平断面は三角形状6aをなし、三角形の頂点部分のコーキング材が薄くなることが避けられず、永年の使用に不安を残すことになる。
【００３２】
ここで、図１０に示すように本発明のコーキング用ヘラ1000を用いるとき、作業者Ａは、ヘラの胴部分1100と長方形状のヘラ先部分1500とを接続するための円弧状部1050または1060（図１０では1060）を出隅部9bに充填されたコーキング材6に押し当て、上方または下方に押圧を維持しながら所定の方向に移動することで気泡や空隙を除去し、押圧処理を完了できる。
【００３３】
この場合にも、円弧形状1050と1060とが異なったRを持った円弧状である場合には、出隅の大きさによって、いづれか一方の適する方を選択できるので、幅の合わないときに生じるコーキング材の不必要な削り取りや逆に周囲の建材の凹凸の不陸に影響され、気泡や空隙が取りきれないといった不具合を回避できる。ただし、円弧形状1050，1060とは必ずしも異なるRであることは必要なく、同一Rであっても作業上の選択枝は少なくなるが、本発明のコーキング用ヘラとしての効果を滅殺するものではない。
【００３４】
このように円弧形状によって処理をすることにより、コーキング材の水平断面は、４半円6bとなり、どの部分をとっても十分に厚いコーキング材が充填された状態となる。したがって、コーキング作業により水平断面が三角形状6aとなり、コーキング材が部分的に薄い場所が存在する従来のコーキング用ヘラの場合に比べて、長年の使用に対しても不安がない。
【００３５】
又、本発明のコーキング用ヘラの比較的長い直線部1040は、図８に示す場面においた有効である。この直線部1040は、一般的コーキング用ヘラ先幅（例えば、103，203，303または2b、2dまたは1011、1012、1013および1014等）に比べて、十分に長い。したがって、作業者Aは、作業対象が図８に示すように高所であるため一般的コーキング用ヘラ先で押圧移動しようとすると、押圧箇所が所定の対象からずれてしまうことありうるが、本発明のコーキング用ヘラ1000の一側縁の直線部1040を用いて、対象を押圧しながら移動させることでその心配なく、コーキング処理作業を行うことができる。
【００３６】
ただし、この作業は広幅のヘラ先による作業となるので対象部の広い範囲の凹凸の不陸の影響を受け、仕上がり面に凹凸の不陸を生じるので、あくまで余分なコーキング材の除去を目的とする作業に限られ、仕上げ面を綺麗にするためには、もう一度、適切な幅広のコーキング用ヘラで仕上げ作業が必要となることがありうる。
【００３７】
なお、この直線部1040は必ずしも直線である必要はなく、反対側の側縁と同じように弓状に彎曲していても良い。この場合、図８のケースで述べた効果は失われるが、本発明の本質的なその他の効果が滅殺されることはない。
【００３８】
以上説明したように、本発明の実施例１のコーキング用ヘラ1000を用いることで、コーキング材6が充填された箇所が広幅、狭幅、入隅、出隅あるいは作業空間狭小であっても、長方形の長辺ヘラ、短辺ヘラ、ヘラ本体の首部の円弧状形1050、1060、あるいは本体片側縁の直線状部1040を使い分けることによって、容易にコーキング材の押圧処理ができる点が特徴である。
【実施例２】
【００３９】
本発明の実施例2を図２に示す。
本実施例2のコーキング用ヘラ2000は、実施例1のコーキング用ヘラ1000の握持部1200のヘラ本体1100装着部と逆側に着脱自在のゴムヘラ1300を備えたものである。
握持部1200には、ゴムヘラ1300を挿入保持するに十分な穴1600が穿たれている。また、保存の便を考え、壁面等に吊り掛けるための小穴1201が穿たれている。
【００４０】
ゴムヘラ1300が着脱可能としてあるのは、第一にゴムが消耗し易いので、予備のゴムヘラとの交換ができるようにするためであるが、第二に着脱可能ということで、各種のサイズ、形のゴムヘラを準備しておき、対象に最も適切なゴムヘラを選択し装着することで、コーキング仕上げ作業が効率よく行えるようにすることを狙いとしている。
【００４１】
着脱自在のゴムヘラ1300の具体的な形状を図１１に示す。
図１１で1310は、ゴムヘラの側面図を示し、バリエーションのゴムヘラに共通である。部分1310aがコーキング用ヘラの握持部に挿入される部分であり、部分1310bがゴムヘラのヘラ先部である。
また、1320、1321、1322、1323及び1324はバリエーションのゴムヘラの正面図を示す。1320a、1321a、1322a、1323aおよび1324aは、いずれもコーキング用ヘラの握持部に挿入される部分であり、1320b、1321b、1322b、1323b、1324bはいずれもゴムヘラのヘラ先である。
【００４２】
ゴムヘラ1320は、ヘラ先幅が握持部挿入部の幅より狭く、1321は、ヘラ先幅と握持部挿入部の幅と同一であり、1322は、ヘラ先幅が握持部の幅より広く、1323は、ヘラ先幅が握持部の幅より広く、かつ幅広部が片側に偏移していて、さらに1324は、ヘラ先部が握  
持部の幅より狭く、かつ狭幅部が片側に偏移している。
【００４３】
ここに示したのはゴムヘラのバリエーションの一部を例示したまでであり、バリエーションがこれに限定されるわけでなく、効率の良い作業を実現するためであればどのようなサイズ、形のものもゴムヘラとして有効である。
【００４４】
コーキング用ヘラ1000のヘラ本体1100は、一般的には、比較的肉薄の金属板を用いて成形されている（特許文献1，2）。材質として金属を用いる理由は、伝統的な左官器具と同様の感覚で操作可能であり、破損の虞が少ないためである。
【００４５】
十分な経験のある熟練者はこのような金属板で形成されたヘラ先のヘラを用いても、確実に気泡や空隙を除去し、しかも仕上げを綺麗にすることができるが、経験の浅い者は、対象部位の凹凸の不陸の具合や施工領域の狭さに起因して、一定肉厚で綺麗にコーキング材表面を処理することが難しく、さらに周辺の部材を傷つけてしまうこともあるという問題があった。
【００４６】
この問題の解決のために、ヘラ本体の材質をシリコンゴムや天然ゴムまたは柔軟性のある樹脂系の素材とすることが提案されている（特許文献3）。これにより、熟練の度合いに拘わらず、また対象部位の凹凸の不陸の程度に拘わらず、作業者の力の入れ具合に応じて、ヘラ本体が撓み変形し、必要量のコーキング材を対象部位に規則的かつ均一に仕上げることが可能である。
【００４７】
この場合、軟質のゴム材を使用すると劣化が早いので、着脱可能であることが望ましいことが同時に提案されている。
【００４８】
本実施例2では、特許文献３で提案されているゴムヘラを従来から用いられている金属板ヘラと一体として、場合に応じていずれのヘラも使用可能とするものである。
具体的な使用例を以下に説明する。
【００４９】
建築部材の内、金属製、ガラス製等で平滑度の高い物、あるいは木製であっても比較的硬度が高くかつ平滑度の高い物が互いに接続される点の隙間にコーキング材が充填されている場合には、金属板製のヘラ先1011，1012，1013または1014を用いて作業することで、余分な気泡や空隙を的確の除去でき、しかも仕上げも十分に綺麗に仕上げることができる。
【００５０】
しかしながら、十分な平滑度を持たない複数の合成パネル材の繋ぎ目に充填されたコーキング材を対象とした場合には、金属板のヘラを用いたのでは、対象部材の凹凸の不陸に影響され、十分に気泡や空隙の除去できず、またコーキング材表面の平滑度を十分に保つことができず外観的にも綺麗な仕上がりとはならない。
【００５１】
このような場合に、ゴムヘラ1300を用いると、対象部材の凹凸の不陸によるヘラ先の変位は、ゴムの柔軟性により吸収され、ヘラ全体の位置は一定に保たれるので、コーキング材には、一定の押圧力が掛かり、コーキング材に内在する気泡や空隙が確実に除去でき、仕上がり面の平滑度も十分に保つことができる。
【００５２】
本発明の実施例2においては、このように肉薄厚の金属板よりなるヘラ先1100とゴム製のヘラ先1300の両方を有することにより、コーキング材が充填された箇所が広幅、狭幅、入隅、出隅、作業空間の狭小な箇所、合板パネルのように凹凸の不陸のあるパネルの繋ぎ目と多彩であっても、一本の本発明のコーキング用ヘラ2000を用いることで、確実なコーキング処理ができる。
【特許文献２】特開平8-144498号公報
【特許文献３】特開2002-276147号公報
【図面の簡単な説明】
【００５３】
【図１】本発明に係る実施例１のコーキング用ヘラの平面図である。
【図２】本発明に係る実施例２のコーキング用ヘラの平面図である。
【図３】従来から使用されている一般的なコーキング用ヘラの平面図および側面図である。
【図４】先行文献に見られる鉤形状湾曲ヘラを示す図である。
【図５】鉤形状湾曲ヘラを用いた入隅部を作業する様子を示す図である。
【図６】鉤形状湾曲ヘラによっても作業が困難な入隅例を示す図である。
【図７】図６の入隅を本発明のコーキング用ヘラで作業する様子を示す図である。
【図８】本発明のコーキング用ヘラのヘラ胴部の直線状部の活用例を示す図である。
【図９】出隅部と従来型コーキング用ヘラによる仕上げ状況を示す図である。
【図１０】出隅部と本発明のコーキング用ヘラによる仕上げ状況を示す図である。
【図１１】ゴムヘラのバリエーションを示す図である。
【符号の説明】
【００５４】
Ａ  作業者の手
1 先行文献にある鉤形状湾曲ヘラ
2 ヘラ本体
2a  鉤形状
2b  ヘラ先
2c  狭幅ヘラ
2d  ヘラ先
2e  広幅ヘラ
3 握持部
4 外壁断面
5 サッシ敷居断面
5a  サッシの入隅部
6 コーキング材
6a  出来上がり断面三角形
6b  出来上がり断面四半円
7 ドア枠
7a  ドア枠入隅部
8 調理台
8a  ガスコンロ
9 厚化粧板
9a  厚板材
9b  出隅部
10  突起状部
100、200、300  従来のコーキング用ヘラ
101、201、301  ヘラ本体
102、202、302  握持部
103、203，303  ヘラ先
104、204  304  吊り掛け用小穴
1000  実施例１のコーキング用ヘラ
1011  ヘラ先
1012  ヘラ先
1013  ヘラ先
1014  ヘラ先
1030  側縁湾曲部
1040  側縁直線部
1050  円弧形状部
1060  逆円弧形状部
1100  ヘラ本体
1200  握持部
1201  吊り掛け用小穴
1300  ゴムヘラ
1310  ゴムヘラ側面図
1320、1321、1322、1323、1324    ゴムベラのバリエーション
1310a、1320a、1321a、1322a、1323a、1324a  バリエーションのゴムベラの握持部への挿入部
1310b、1320b、1321b、1322b、1323b、1324b  バリエーションのゴムヘラのヘラ先端部
1500  長方形状ヘラ先端部
1600  ゴムヘラ挿入保持用穴
1700  ヘラ本体の長手方向重心線
2000  実施例２のゴムヘラ付きコーキング用ヘラ
【図１】
2009121168.tif 000003
【図２】
2009121168.tif 000004
【図３】
2009121168.tif 000005
【図４】
2009121168.tif 000006
【図５】
2009121168.tif 000007
【図６】
2009121168.tif 000008
【図７】
2009121168.tif 000009
【図８】
2009121168.tif 000010
【図９】
2009121168.tif 000011
【図１０】
2009121168.tif 000012
【図１１】
2009121168.tif 000013